(57)【特許請求の範囲】
【請求項１】
軸線上に延びる棒状の本体と、収納時には本体と一体となる開閉自在の開閉部材とを備え、前記本体と前記開閉部材との間に物品を保持することが可能な保持装置であって、
前記本体には前記開閉部材の長さ及び厚さとほぼ同じ寸法で開閉部材が収納可能な取付凹部が設けられ、
前記開閉部材は、根本部が前記取付凹部の一方の端部に多軸蝶番を介して取り付けられており、
前記多軸蝶番は、前記本体の取付凹部に固定される第１板材と、第１板材の下方に設けられ前記本体の軸方向と平行な方向に軸を有する第１回転軸と、前記第１回転軸に接続される第２板材と、前記第２板材の先端部に設けられ前記本体の軸方向と平行な方向に軸を有する第２回転軸と、前記第２回転軸に接続される第３板材と、前記第１板材と前記第２板材とが折り畳まれた状態で第３部材の側部で前記第２回転軸に対して直角方向の軸となる第３回転軸と、前記第３回転軸に接続され前記開閉部材に固定される第４板材とを備え、
前記開閉部材は、収納状態から前記多軸蝶番の前記第１回転軸及び前記第２回転軸を回転させて前記開閉部材を前記本体の収納凹部から飛び出る位置で前記第３回転軸を回転させることができ、
前記開閉部材は、前記本体に収納されたときに、全体として凹凸のない棒状となるように形成されていることを特徴とする物品の保持装置。
【請求項２】
前記開閉部材は、先端部に、前記本体と取り外し自在に連結される連結部材を備えていることを特徴とする請求項１に記載の物品の保持装置。
【請求項３】
前記本体及び前記開閉部材は、前記多軸蝶番を取り付ける箇所に窪みが設けられ、前記開閉部材が前記本体に収納されたときは、前記多軸蝶番が前記本体と前記開閉部材の間に収納されることを特徴とする請求項１又は２に記載の物品の保持装置。
【発明の詳細な説明】
【技術分野】
【０００１】
本発明は、棒状の本体の途中に物品を挟んで保持する装置に関する。
【背景技術】
【０００２】
従来、棒状の本体の途中に物品を挟んで固定する装置としては、例えば下記特許文献１のように物干し竿に平行に延びる棒状の洗濯物固定用具を有し、洗濯物を干す際には、物干し竿にハンガー等を掛け、洗濯物固定用具を物干し竿に押し当て、この洗濯物固定用具でハンガー等を押さえることにより、風が吹いても洗濯物が物干し竿の一部に吹き寄せられることを防止するものが知られている。
【０００３】
しかしながら、下記特許文献１の物干し竿では、ズボン等の筒状の衣類を物干し竿に通して干す場合、物干し竿を一度支持台から取り外してズボンを物干し竿に通した後、再度物干し竿を支持台に乗せる必要があった。また、特許文献１の物干し竿では、ハンガー等を洗濯物固定用具により固定しているため、ハンガー等を装着した状態でズボン等を通さなければならなくなった場合、一度洗濯物固定具を本体から外し、その後ハンガー等を取り外し、その上でズボンを干さなければならなかった。
【０００４】
また、普通に用いられている物干し竿では、ズボン等を竿に通して干した場合、ズボン等が風で偏らないようにするためには、ズボン等をさらに洗濯ばさみで止める等の必要があった。
【特許文献１】実開平７−３０９９４号公報、第１項、第１図
【特許文献２】特開実登３０１０９８９号公報、第１項、第５図
【発明の開示】
【発明が解決しようとする課題】
【０００５】
上記不都合を解消するために、本体から本体よりも短い部材を開閉自在に設けることも考えられるが、単にそのような部材を開閉式にしたのでは、その部材を閉じた場合でも、その部材が本体から突出するおそれがある。これでは、シーツなどを干した際にはシーツにその凹凸がついてしまうため、物干し竿としては好ましくない。
【０００６】
本発明は、物品を挟み込んで保持する装置の改良を目的とし、詳細には物品を固定する際に本体の取り外しが必要なく、さらに装置全体で物品を保持した場合でも物品にしわ等を生じさせることのない物品の保持装置を提供することを目的とする。
【課題を解決するための手段】
【０００７】
前記目的を達成するために、本発明の物品の保持装置は、軸線上に延びる棒状の本体と、収納時には本体と一体となる開閉自在の開閉部材とを備え、前記本体と前記開閉部材との間に物品を保持することが可能な保持装置であって、前記本体には前記開閉部材の長さ及び厚さとほぼ同じ寸法で開閉部材が収納可能な取付凹部が設けられ、以下の特徴を備えている。
まず、前記開閉部材は、根本部が前記取付凹部の一方の端部に多軸蝶番を介して取り付けられており、前記多軸蝶番は、前記本体の取付凹部に固定される第１板材と、第１板材の下方に設けられ前記本体の軸方向と平行な方向に軸を有する第１回転軸と、前記第１回転軸に接続される第２板材と、前記第２板材の先端部に設けられ前記本体の軸方向と平行な方向に軸を有する第２回転軸と、前記第２回転軸に接続される第３板材と、前記第１板材と前記第２板材とが折り畳まれた状態で第３部材の側部で前記第２回転軸に対して直角方向の軸となる第３回転軸と、前記第３回転軸に接続され前記開閉部材に固定される第４板材とを備えている。
【０００８】
そして、前記開閉部材は、収納状態から前記多軸蝶番の前記第１回転軸及び前記第２回転軸を回転させて前記開閉部材を前記本体の取付凹部から飛び出る位置で前記第３回転軸を回転させることができ、前記開閉部材は、前記本体に収納されたときに、全体として凹凸のない棒状となるように形成されていることを特徴とする。
【０００９】
本発明の物品の保持装置は、前記多軸蝶番を備えているので、第１第２回転軸と板材により開閉部材を一度本体から離すので、開閉部材を第３回転軸で回転させても本体に緩衝しない。よって、緩衝防止のための逃げ等を設ける必要がないため、表面が凹凸のない棒状とすることができ、この発明を物干し竿に応用したならば、シーツ等の大きい物を干しても変な形にならない。また、前記開閉部材を開いてズボン等を挿入し、その後開閉部材を閉じることで、ズボン等を容易に干すことができ、乾燥後の取り込みも容易となる。また、ズボン等は前記開閉部材と本体との間に挟まれるため、洗濯ばさみ等で押さえなくても洗濯物が風で偏ったりしない。なお、蝶番に関する先行技術としては上記特許文献２のような回転方向が一定の多軸蝶番はあるが、本願発明のように回転方向が異なる軸を有するものではない。
【００１０】
また、本発明の物品の保持装置において、前記開閉部材は、先端部に、前記本体と取り外し自在に連結される連結部材を備えていることが好ましい。このような構成によれば、前記開閉部材を確実に本体に連結させることができ、安定性が向上し、かつ容易に活用することができる。
【００１１】
また、本発明の物品の保持装置においては、前記本体及び前記開閉部材は、前記多軸蝶番を取り付ける箇所に窪みが設けられ、前記開閉部材が前記本体に収納されたときは、前記多軸蝶番が前記本体と前記開閉部材の間に収納されることが好ましい。このような構成によれば、前記多軸蝶番が多少の厚さを有していても前記本体と前記開閉部材との間に収納することができるため、収納性が増す。
【発明を実施するための最良の形態】
【００１２】
次に、本発明の物品の保持装置の実施形態の一例について、物干し竿を例にして図１乃至図７を参照して説明する。
【００１３】
本発明の実施形態の一例である物干し竿は、図１に示すように、全体として凹凸のない円柱状である。また、物干し竿の長手方向に３個の開閉部材ｊを設けている。この開閉部材ｊは、円柱を円の中心から分割した形状となっている。また、物干し竿の本体側には、開閉部材ｊの長さ及び厚さとほぼ同一の形状の取付凹部ｉが形成されている。この実施形態では、開閉部材ｊが３個連続して形成されており、取付凹部ｉも連続して形成されている。
【００１４】
図４に示すように、取付凹部ｉの長手方向一方の端部と開閉部材ｊの根本部とは多軸蝶番により連結されている。多軸蝶番ｋは、図５乃至図７に示すように、開閉部材ｊに取り付けられている第１板材ａと、第１板材ａの下方に設けられた水平方向の軸である第１回転軸ｂと、第１回転軸に連結される第２板材ｃと、第２板材ｃの先端縁に設けられた水平方向の軸である第２回転軸ｄと、第２回転軸ｄに連結される第３板材ｅと、第３板材ｅの側縁に設けられた第３回転軸ｆと、この第３回転軸ｆに連結された第４板材ｇとを備えている。
【００１５】
本発明の実施形態である物干し竿は、図１から図４に示すように、開閉部材ｊを開閉することができる。まず、図１に示す状態から、開閉部材ｊを下方に下ろして図２に示す状
態とすることができる。このとき、第１回転軸ｂと第２回転軸ｄが回転し、開閉部材ｊが本体の取付凹部ｉよりも外側に突出する。次に、第３回転軸ｆを回転させると、図３に示すように、開閉部材ｊが根本部を中心として本体に対して開いた状態となる。この状態で、ズボン等を開閉部材ｊに差し込んで開閉部材ｊを図１の状態に閉じることにより、ズボン等のように筒状の洗濯物であっても、容易に物干し竿に通して干すことが可能となる。
【００１６】
この実施形態では、多軸蝶番ｋの第１回転軸ｂ、第２回転軸ｄ、第３回転軸ｆがある程度の固さをもって回転するため、ズボン等を干しても、開閉部材ｊが下方に折れ曲がったりすることがない。
【００１７】
また、図では示していないが、開閉部材ｊの先端部と取付凹部ｉの先端部に、両者を連結する連結部材を設けることにより、さらに開閉部材ｊと取付凹部ｉとの連結を強固にすることができる。この連結部材としては、開閉部材ｊに取り付けられ、本体の外周面に巻いて固定可能な面ファスナーのような構成が挙げられる。あるいは、開閉部材ｊから本体に向けて、本体の外周面に沿って湾曲して延びる薄板状のバネ部材のような構成としてもよい。このような構成とすることにより、開閉部材ｊを確実に本体に固定することができ、本体から突出する部分も薄いので、シーツ等が変形しない。
【００１８】
また、図７においては図で示していないが、多軸蝶番ｋを囲む取付凹部ｉの面と開閉部材ｊの面に、多軸蝶番ｋの厚さを吸収する窪みを設けてもよい。
【００１９】
本件発明を実際に実施した場合、特殊な多段蝶番構造を用いた竿の開閉機構によって洗濯物を固定し干すことができる。また、従来の物干し竿では竿の中心に干してしまった洗濯物は一度端側の洗濯物を外さなければ取り込めないという不便な点を、本製品によって改良した。また、本発明は、物干し竿のみならず、例えば、衣服を生産する工場の生産ライン等において、部品等の物品を一時保持するのに本発明の保持装置を使用してもよい。また、食品等の加工現場においても、例えば、昆布等の薄い食品を干したりすることにも利用できる。
【図面の簡単な説明】
【００２０】
【図１】本発明の全体図である。
【図２】本発明の物干し竿の作動を示す図である。
【図３】本発明の物干し竿の作動を示す図である。
【図４】本発明の物干し竿の一部拡大図である。
【図５】本考案に必要となる蝶番の斜視図である。
【図６】図１の蝶番の展開図である。
【図７】図１の蝶番の収納図である。
【符号の説明】
【００２１】
ａ…第１板材
ｂ…第１回転軸
ｃ…第２板材
ｄ…第２回転軸
ｅ…第３板材
ｆ…第３回転軸
ｇ…第４板材
ｉ…取付凹部
ｊ…開閉部材
ｋ…多軸蝶番
【要約】
【課題】物品を固定する際に本体の取り外しが必要なく、さらに装置全体で物品を保持した場合でも物品にしわ等を生じさせることのない物品の保持装置を提供する。
【解決手段】取付凹部ｉの長手方向一方の端部と開閉部材ｊの根本部とは多軸蝶番により連結されている。多軸蝶番ｋは、図１乃至図３に示すように、開閉部材ｊに取り付けられている第１板材ａと、第１板材ａの下方に設けられた水平方向の軸である第１回転軸と、第１回転軸に連結される第２板材ｃと、第２板材ｃの先端縁に設けられた水平方向の軸である第２回転軸ｄと、第２回転軸ｄに連結される第３板材ｅと、第３板材ｅの側縁に設けられた第３回転軸ｆと、この第３回転軸ｆに連結された第４板材ｇとを備えている。
【選択図】  図４【図１】
0004292556.tif 000002
【図２】
0004292556.tif 000003
【図３】
0004292556.tif 000004
【図４】
0004292556.tif 000005
【図５】
0004292556.tif 000006
【図６】
0004292556.tif 000007
【図７】
0004292556.tif 000008